(57)【要約】【課題】衣服、上着等の決まった形状に制限されない物を吊り下げ掛けたりでき、多用途機能を持つ多機能ハンガーを提案する。【解決手段】一種の多機能ハンガーは、一つの弧形本体の中間上方に一つの引き掛け部を連接させ、その左右端にはそれぞれ挟み込み板を設け、該挟み込み板の下段平面には螺合孔を設け、且つ、左回転板と右回転板の各一端の長形調節孔の両方と該本体の螺合孔とに軸心となる螺合部品を貫通しており、該左回転板と右回転板の各側面には、滑り防止面と延伸板を設け、且つ、該延伸板上端には滑り止め板を設けてあり、異なる需要に応じて、左回転板と右回転板の角度を回転曲げることができる。０度時は、左回転板と右回転板は接合して一つの横棒となり、１８０度時は、左回転板と右回転板を左右両側方向に延伸し、２７０度時は、左回転板と右回転板はどちらも上方向に延伸しており、該本体には異なる吊り下げ引き掛け物を組み合わせる。【選択図】図1
0003140468.tif 000002
【実用新案登録請求の範囲】
【請求項１】
多機能ハンガーは、引き掛け部と、本体と、左回転板と、右回転板と、螺合部品とにより構成され、
一つの引き掛け部は、曲がった鍵形であり、横棒上に引き掛けて吊るすことができ、
一つの本体は、一つの弧形体を成しており、上平面左右両端に、一つの滑り止め肋骨部をカットして設け、並びに、各端の両側には一つの下方向に湾曲した挟み込み板を延伸し、該挟み込み板の下段位置には螺合孔を穿設し、内側縁面には滑り防止カットを設け、
一つの左回転板は、一端に長形調節孔を開け、前後の二つの大平面には滑り防止面を設け、別の一端には一つの延伸板を延長上に設け、その上端には一つの滑り止め板を連接し、
一つの右回転板は、一端に長形調節孔を開け、前後の二つの大平面には滑り防止面を設け、別の一端には一つの延伸板を延長上に設け、その上端には一つの滑り止め板を連接し、
よって、左回転板と右回転板と本体の両端に螺合部品を貫通して連結し、該連結点を回転軸心として異なる機能の需要に基づき、左回転板と右回転板を回転折り曲げて角度を使用角度に変化させ、且つ、多くの箇所に滑り防止処理を設けた良心設計であり、衣類を開いたり吊り下げる必要範囲を提供し、多機能ハンガーの多用途使用効果を達成することを特徴とする、多機能ハンガー。
【請求項２】
前記引き掛け部と本体は一体成形するか組み合わせて連結する方式であることを特徴とする、請求項１記載の多機能ハンガー。
【請求項３】
前記螺合部品は、螺合ボルト及び螺着部と螺合キャップ及びナットの貫通部品であることを特徴とする、請求項１記載の多機能ハンガー。
【考案の詳細な説明】
【技術分野】
【０００１】
本考案の多機能ハンガーは、一つの本体上に一つの引き掛け部を連接し、左右両側には、螺合部品を螺合孔と左回転板、右回転板の長形調節孔に貫通させて、該貫通連結点を回転軸心として、左回転板と右回転板を各角度に回転折り曲げ、衣類を開いた場合の必要範囲を提供し、多機能ハンガーの多用途技術領域を達成する。
【背景技術】
【０００２】
一般市場においてよく見られるハンガーには、一つの細い鉄を折り曲げ巻きつけて成形したものやプラスチックをモールドによって一体成形したものがあり、その使用範囲は、ハンガー形状が固定している為に通常は制限されており、多機能変化を必要とする場合は、自分でいくつかの洗濯バサミを別に購入することにより、初めて靴下、手袋等の引き掛けを安定させられるが、最終的に一つのハンガーには一つの用途だけしか備えていない。
【考案の開示】
【考案が解決しようとする課題】
【０００３】
考案が解決しようとする課題は、次のとおりである。
（１）ももひきやセーターを乾かす場合は引き掛ける方法を用い、一般には別に洗濯バサミを購入して公知のハンガー上を挟むか、直接引き掛けることさえもある。しかし、風によって吹き飛ばされたり人体にぶつかって落とされたり、洗濯バサミは何度も使用した後になくなってしまうこともある。
（２）公知のハンガーサイズは大体同じであり、大きいサイズの服やゆったりした衣類を掛ける場合は、特別に適当なハンガーを購入する必要がある。
（３）公知のハンガーは、形状が制限されており、決まった形の衣服や、上着等を掛けられるだけであり、靴下、手袋等を吊るす場合は洗濯バサミで固定しなければ、風で吹き飛ばされて落ちてしまう。
【課題を解決するための手段】
【０００４】
課題を解決するための手段は次の通りである。
（１）左回転板と右回転板と本体の両端に螺合部品を貫通し連結し、該連結点を軸心として左回転板と右回転板を回転曲げて角度を変化させる。０度の場合は、左回転板と右回転板は内側方向に対称的に一つの間隔のある横棒となり、その一効果と一般のハンガー機能とは同様である。他に、干したい物を該左回転板と右回転板の内側に通す機能もあり、滑り止め板の制御を受けて風が吹いても滑り落ちが発生しない。
（２）左回転板と右回転板と本体の両端に螺合部品を貫通し連結し、該連結点を軸心として左回転板と右回転板を回転曲げて角度を変化させる。１８０度の場合は、該左回転板と右回転板を左右両側方向に延伸すると、ハンガー幅が広がり、衣類サイズに応じて調節できる故、広い肩部のビックサイズ、ゆったりした衣類を吊り下げることができる。また、レインコートに公知のハンガーを使用すると内側を完全に開くことができない為ににおいの発生を生むが、開いて乾かさなければならないレインコート等に対しては、干す物と空気の接触面積を拡大し、乾かす速度を高めることができる。
（３）左回転板と右回転板と本体の両端に螺合部品を貫通し連結し、該連結点を軸心として左回転板と右回転板を回転曲げて角度を変化させる。２７０度の場合は、該左回転板と右回転板をどちらも上方向に伸ばし、該本体には下着、肩紐の細いパジャマ等を吊り下げ、左右両端にはまた、靴下、手袋、靴等の被せる物品を組み合わせて掛けることもでき、ハンガーに二つの物を干す機能を同時に持たせ、且つ、補助器具の購入が不要である。
【考案の効果】
【０００５】
以上説明したように本考案の多機能ハンガーは、異なる吊り下げ物を組み合わせ、一つのハンガーに多用途機能を持たせることができ、また、衣類を干すスペースを縮小し、節約する経済効果を生み、且つ、該ハンガーの多くの箇所に滑り防止設計を設けてある故、干す衣類に更に多くの保護を与える措置を取っていることを特徴とする。
【考案を実施するための最良の形態】
【０００６】
参照とする図１に示すとおり、本考案は、引き掛け部２、本体３、左回転板４、右回転板５、螺合部品６により構成される。一つの引き掛け部２は、曲がった鍵形であり、横棒上に引き掛けて吊るすことができる。一つの本体3は、引き掛け部２に連接しており下は一つの弧形体を成し、その上の平面左右両端にそれぞれ、一つの滑り止め肋骨部３１をカットし設け、並びに、各端の両側には一つの下方向に湾曲した二つの挟み込み板３２を設け、該挟み込み板の下段位置には螺合孔３２１を穿設し、且つ、内側縁面には別に滑り防止カット３２２を設ける。一つの左回転板４は、一端に長形調節孔４１を開け、螺合部品６を貫通して二つの分離した部品を調節して固定を安定させ、且つ、前後の二つの大平面には滑り防止面４２を設け、別の一端には一つの延伸板４３を延長上に設け、その上端には一つの滑り止め板44を備える。一つの右回転板５は、左回転板４の構造と全く同様である。一つの螺合部品６は、螺合ボルト６１及び螺合キャップ６２により構成され、該螺合ボルト６１は、制御板６１１を主体とし、一端にはＳ形ネジレ板６１２を設け、別の一端には螺着部６１３とねじ山を内部の中央に設けた該螺合キャップ６２とを設ける。
【０００７】
参照する図５に示す通り、左回転板4、右回転板５はそれぞれ本体３の両端に配置し、それを両側の該本体３の二つの挟み込み板３２間に嵌入し、並びに、長形調節孔４１、５１は螺合孔３２１上を移動し、螺合部品６を貫通して連結される。指でＳ形ネジレ板６１２を抑えてねじ入れ、且つ、制御板６１１と螺合キャップ６２を締め付けて二つの挟み込み板３２をきつく圧する。又、挟み込み板３２の滑り防止カット３２２及び左回転板４、右回転板５の滑り防止面４２、５２によって更に固定を安定させスライドし難くしており、該連結点を軸心として、異なる需要によって、相対する左回転板４と右回転板５を回転曲げて角度を調節する。
【０００８】
（１）０度時(図２参照)、左回転板４、右回転板５は内側方向に対称的に一つの間隔のある横棒となり、その効果は一般のハンガー機能とほぼ同様である。他に、干したい物を該左回転板４、右回転板５の内側に通す機能もあり、滑り止め板４４、５４の制御を受けて風が吹いても滑り落ちが発生することがない。
【０００９】
（２）１８０度時(図３参照)、左回転板４、右回転板５を左右両側方向に延伸すると、ハンガー幅が広がり、サイズに応じて調節できる故、広い肩部のビックサイズ、ゆったりした衣類、開いて干したいレインコート等を吊り下げることができ、衣類、レインコート等と空気の接触面積を拡大し、乾かす速度を高めることができる。
【００１０】
（３）２７０度時(図４参照)、左回転板4、右回転板５はどちらも上方向に延伸し、該本体３には下着、肩紐の細いパジャマ等を吊る提げることができる。左右両端にはまた、靴下、手袋、靴等の被せる物品を組み合わせて掛けることもでき、ハンガーに二つの物を干す機能を同時に持たせ、ハンガーの使用量を減少させ、それに相対して衣類を干す間隔を拡大することができる。
【００１１】
該ハンガーは異なる吊り下げ物を組み合わせ、一つのハンガーに多用途機能を持たせることができ、合わせて、衣類を干すスペースを縮小し、節約する経済効果を生み、且つ、該ハンガーの多くの箇所に滑り防止設計を設けてある故、干す衣類に更に多くの保護を与える措置を取っている。
【００１２】
本考案は、螺合孔に貫通させた螺合部品６を回転軸心とし、それに対して左回転板4と右回転板５を回転曲げてその使用角度を変化させ、衣類を開いたり引き掛け吊るす必要範囲を提供し、多機能ハンガー多用途の実用効益を達成するものである。
【図面の簡単な説明】
【００１３】
【図１】本考案の構造立体分解図
【図２】本考案の第一実施例に関する立体図
【図３】本考案の第二実施例に関する立体図
【図４】本考案の第三実施例に関する立体図
【図５】本考案の展開角度動作図
【図５Ａ】本考案の連結点細部立体図
【符号の説明】
【００１４】
２        引き掛け部
３        本体
３１      滑り止め肋骨部
３２      挟み込み板
３２１    螺合孔
３２２    滑り防止カット
４        左回転板
４１      長形調節孔
４２      滑り防止面
４３      延伸板
４４      滑り止め板
５        右回転板
５１      長形調節孔
５２      滑り防止面
５３      延伸板
５４      滑り止め板
６        螺合部品
６１      螺合ボルト
６１１    制御板
６１２    Ｓ形ネジレ板
６１３    螺着部
６２      螺合キャップ
【図１】
0003140468.tif 000003
【図２】
0003140468.tif 000004
【図３】
0003140468.tif 000005
【図４】
0003140468.tif 000006
【図５】
0003140468.tif 000007
【図５Ａ】
0003140468.tif 000008